(57)【要約】【課題】ラベル印刷時における作業効率性およびラベルの視認性の向上を図ること。【解決手段】印刷装置１００は、印刷領域情報取得部２０１と、選択部２０２と、画像取得部２０３と、判断部２０４と、決定部２０５と、調整部２０６と、印刷部２０７とを備える。印刷領域情報取得部２０１は、記録媒体の表面上の印刷領域に関する情報を取得する。選択部２０２は、形状の異なる複数の印刷領域の中から印刷に用いる印刷領域を選択する。画像取得部２０３は、画像を取得する。判断部２０４は、画像の特徴部分を判断する。決定部２０５は、画像の印刷部分を決定する。調整部２０６は、画像の印刷部分を調整する。印刷部２０７は、画像の印刷部分を印刷領域に印刷する。【選択図】図２
2007253452.tif 000002
【特許請求の範囲】
【請求項１】
着脱可能な記録媒体の表面上に所望する画像を印刷する印刷装置であって、
前記記録媒体の表面上の印刷領域に関する情報を取得する印刷領域情報取得手段と、
前記画像を取得する画像取得手段と、
前記画像の特徴部分を判断する判断手段と、
前記画像の特徴部分が前記印刷領域の所定の位置に位置するように、前記画像の印刷部
分を決定する決定手段と、
前記印刷部分を前記印刷領域に印刷したときに空白領域が生じないように、前記印刷部
分を調整する調整手段と、
前記調整手段によって調整された前記印刷部分を前記印刷領域に印刷する印刷手段と、
を備えたことを特徴とする印刷装置。
【請求項２】
前記印刷領域の所定の位置は、所定の範囲をもち、
前記調整手段は、前記所定の範囲の外部に前記画像の特徴部分が位置しない範囲で調整
することを特徴とする請求項１に記載の印刷装置。
【請求項３】
前記調整手段は、前記画像に対して当該画像内における前記印刷部分を前記画像の上下
方向および左右方向へ移動させることを特徴とする請求項１または２に記載の印刷装置。
【請求項４】
前記調整手段は、前記画像内における前記印刷部分の領域範囲を固定状態としたまま前
記画像を拡大または縮小することを特徴とする請求項１〜３のいずれか一つに記載の印刷
装置。
【請求項５】
前記記録媒体は、ＣＤ（Ｃｏｍｐａｃｔ  Ｄｉｓｃ）またはＤＶＤ（Ｄｉｇｉｔａｌ  
Ｖｅｒｓａｔｉｌｅ  Ｄｉｓｃ）であることを特徴とする請求項１〜４のいずれか一つに
記載の印刷装置。
【請求項６】
前記決定手段は、前記画像の下部が、前記記録媒体の中心の方向を向くように前記印刷
部分を決定することを特徴とする請求項５に記載の印刷装置。
【請求項７】
前記印刷領域は、前記記録媒体と同じ中心を有する二つの同心円と、前記記録媒体の中
心から半径方向に延びる二つの直線とに囲まれた扇形に形成されていることを特徴とする
請求項５または６に記載の印刷装置。
【請求項８】
形状の異なる複数の前記印刷領域の中から印刷に用いる印刷領域を選択する選択手段を
さらに備え、
前記印刷領域情報取得手段は、前記選択手段によって選択された印刷領域に関する情報
を取得することを特徴とする請求項１〜７のいずれか一つに記載の印刷装置。
【請求項９】
着脱可能な記録媒体の表面上に所望する画像を印刷する印刷方法であって、
前記記録媒体の表面上の印刷領域に関する情報を取得する印刷領域情報取得工程と、
前記画像を取得する画像取得工程と、
前記画像の特徴部分を判断する判断工程と、
前記画像の特徴部分が前記印刷領域の所定の位置に位置するように、前記画像の印刷部
分を決定する決定工程と、
前記印刷部分を前記印刷領域に印刷したときに空白領域が生じないように、前記印刷部
分を調整する調整工程と、
前記調整工程によって調整された前記印刷部分を前記印刷領域に印刷する印刷工程と、
を含んだことを特徴とする印刷方法。
【請求項１０】
請求項９に記載の印刷方法をコンピュータに実行させることを特徴とする印刷プログラ
ム。
【請求項１１】
請求項１０に記載の印刷プログラムを記録したことを特徴とするコンピュータに読み取
り可能な記録媒体。
【発明の詳細な説明】
【技術分野】
【０００１】
本発明は、画像を記録媒体の表面上に印刷する印刷装置、印刷方法、印刷プログラム、
および記録媒体に関する。
【背景技術】
【０００２】
従来より、たとえば、デジタル映像から取り込んだ画像やデジタルカメラなどで撮影し
た画像などを、ＣＤ（Ｃｏｍｐａｃｔ  Ｄｉｓｃ）およびＤＶＤ（Ｄｉｇｉｔａｌ  Ｖｅ
ｒｓａｔｉｌｅ  Ｄｉｓｃ）などの記録媒体（以下、「メディア」という）の表面上に印
刷することができる印刷装置が知られている。
【０００３】
このような印刷装置によって画像を印刷した場合、画像の特徴部分（たとえば人物の顔
、映像のタイトルなど）が印刷領域内に収まらずに印刷されないといった問題が生じてい
た。また、このような問題を解決するためには、パーソナル・コンピュータなどの画像編
集装置によって、手間や時間がかかる印刷レイアウトの編集をおこなわなければならない
という問題が生じていた。
【０００４】
そこで、たとえば、画像の特徴部分を抽出して、この特徴部分がメディアの所定の位置
に位置するように画像を印刷することによって、手間や時間がかかる印刷レイアウトの編
集をおこなうことなく、画像の重要な部分を含んだ画像をメディアの表面上に印刷するこ
とができる印刷装置がある（たとえば、下記特許文献１参照。）。
【０００５】
【特許文献１】特開２００４−１８０１００号公報
【発明の開示】
【発明が解決しようとする課題】
【０００６】
しかしながら、上記の従来技術にあっては、たとえば画像のサイズが印刷領域のサイズ
よりも大きい場合、画像の特徴部分の一部が印刷領域に収まりきらずに印刷されないこと
がある。また、たとえば画像のサイズが印刷領域のサイズよりも小さい場合、印刷領域に
空白領域（何も印刷されない部分）が生じてしまう。さらには、画像が印刷される領域を
指定することができず、一つの画像がメディアの表面上の全面にわたって印刷されてしま
う場合がある。このように、画像の重要な部分が印刷されているにもかかわらず、適切な
印刷レイアウトによる画像の印刷処理をおこなうことができないため、印刷された画像の
視認性が損なわれるといった問題が生じていた。
【０００７】
本発明は、上述した従来技術による問題点を解消するため、簡単な操作により、画像の
特徴部分を印刷領域内に収めたうえ、印刷領域内に空白領域が生じない適切な印刷レイア
ウトによる画像の印刷処理をおこなうことによって、ラベル印刷時における作業効率性お
よびラベルの視認性の向上を図ることができる印刷装置、印刷方法、印刷プログラム、お
よび記録媒体を提供することを目的とする。
【課題を解決するための手段】
【０００８】
上述した課題を解決し、目的を達成するため、この発明にかかる印刷装置は、着脱可能
な記録媒体の表面上に所望する画像を印刷する印刷装置であって、前記記録媒体の表面上
の印刷領域に関する情報を取得する印刷領域情報取得手段と、前記画像を取得する画像取
得手段と、前記画像の特徴部分を判断する判断手段と、前記画像の特徴部分が前記印刷領
域の所定の位置に位置するように、前記画像の印刷部分を決定する決定手段と、前記印刷
部分を前記印刷領域に印刷したときに空白領域が生じないように、前記印刷部分を調整す
る調整手段と、前記調整手段によって調整された前記印刷部分を前記印刷領域に印刷する
印刷手段と、を備えたことを特徴とする。
【０００９】
この発明によれば、簡単な操作により、画像の特徴部分を印刷領域内に収めたうえ、印
刷領域内に空白領域が生じない適切な印刷レイアウトによる画像の印刷処理をおこなうこ
とができる。これにより、ラベル印刷時における作業効率性およびラベルの視認性の向上
を図ることができるだけでなく、たとえば記録媒体の表面上に印刷された画像により、ユ
ーザに対し、どの記録媒体にどのような映像が記録されているかを容易に把握させること
が可能となる。
【００１０】
また、この発明にかかる印刷装置は、上記に記載の発明において、前記印刷領域の所定
の位置は、所定の範囲をもち、前記調整手段は、前記所定の範囲の外部に前記画像の特徴
部分が位置しない範囲で調整することを特徴とする。
【００１１】
この発明によれば、簡単な操作により、画像の特徴部分を印刷領域における所定の範囲
内に収めたうえ、印刷領域内に空白領域が生じない適切な印刷レイアウトによる画像の印
刷処理をおこなうことができる。
【００１２】
また、この発明にかかる印刷装置は、上記に記載の発明において、前記調整手段は、前
記画像に対して当該画像内における前記印刷部分を前記画像の上下方向および左右方向へ
移動させることを特徴とする。
【００１３】
この発明によれば、簡単な操作により、印刷部分を画像に対して上下方向および左右方
向に移動させることによって、画像の特徴部分を印刷領域内に収めたうえ、印刷領域内に
空白領域が生じない適切な印刷レイアウトによる画像の印刷処理をおこなうことができる
。
【００１４】
また、この発明にかかる印刷装置は、上記に記載の発明において、前記調整手段は、前
記画像内における前記印刷部分の領域範囲を固定状態としたまま前記画像を拡大または縮
小することを特徴とする。
【００１５】
この発明によれば、簡単な操作により、画像を拡大および縮小させることによって、印
刷部分を画像に対して上下方向および左右方向に移動させることによって、画像の特徴部
分を印刷領域内に収めたうえ、印刷領域内に空白領域が生じない適切な印刷レイアウトに
よる画像の印刷処理をおこなうことができる。
【００１６】
また、この発明にかかる印刷装置は、上記に記載の発明において、前記記録媒体は、Ｃ
Ｄ（Ｃｏｍｐａｃｔ  Ｄｉｓｃ）またはＤＶＤ（Ｄｉｇｉｔａｌ  Ｖｅｒｓａｔｉｌｅ  
Ｄｉｓｃ）であることを特徴とする。
【００１７】
この発明によれば、簡単な操作により、画像の特徴部分をＣＤまたはＤＶＤの表面上の
印刷領域内に収めたうえ、ＣＤまたはＤＶＤの表面上の印刷領域内に空白領域が生じない
適切な印刷レイアウトによる画像の印刷処理をおこなうことができる。これにより、ＣＤ
またはＤＶＤに対するラベル印刷時における作業効率性およびＣＤまたはＤＶＤに印刷さ
れたラベルの視認性の向上を図ることができる。
【００１８】
また、この発明にかかる印刷装置は、上記に記載の発明において、前記決定手段は、前
記画像の下部が、前記記録媒体の中心の方向を向くように前記印刷部分を決定することを
特徴とする。
【００１９】
この発明によれば、簡単な操作により、画像の下部がＣＤまたはＤＶＤの中心の方向を
向くように画像の特徴部分をＣＤまたはＤＶＤの表面上の印刷領域内に収めたうえ、ＣＤ
またはＤＶＤの表面上の印刷領域内に空白領域が生じない適切な印刷レイアウトによる画
像の印刷処理をおこなうことができる。
【００２０】
また、この発明にかかる印刷装置は、上記に記載の発明において、前記印刷領域は、前
記記録媒体と同じ中心を有する二つの同心円と、前記記録媒体の中心から半径方向に延び
る二つの直線とに囲まれた扇形に形成されていることを特徴とする。
【００２１】
この発明によれば、簡単な操作により、画像の特徴部分をＣＤまたはＤＶＤの表面上の
扇形に形成された印刷領域内に収めたうえ、ＣＤまたはＤＶＤの表面上の扇形に形成され
た印刷領域内に空白領域が生じない適切な印刷レイアウトによる画像の印刷処理をおこな
うことができる。
【００２２】
また、この発明にかかる印刷装置は、上記に記載の発明において、形状の異なる複数の
前記印刷領域の中から印刷に用いる印刷領域を選択する選択手段をさらに備え、前記印刷
領域情報取得手段は、前記選択手段によって選択された印刷領域に関する情報を取得する
ことを特徴とする。
【００２３】
この発明によれば、簡単な操作により、形状の異なる複数の印刷領域の中から印刷に用
いる印刷領域を選択して、画像の特徴部分を印刷領域内に収めたうえ、印刷領域内に空白
領域が生じない適切な印刷レイアウトによる画像の印刷処理をおこなうことができる。
【００２４】
また、この発明にかかる印刷方法は、着脱可能な記録媒体の表面上に所望する画像を印
刷する印刷方法であって、前記記録媒体の表面上の印刷領域に関する情報を取得する印刷
領域情報取得工程と、前記画像を取得する画像取得工程と、前記画像の特徴部分を判断す
る判断工程と、前記画像の特徴部分が前記印刷領域の所定の位置に位置するように、前記
画像の印刷部分を決定する決定工程と、前記印刷部分を前記印刷領域に印刷したときに空
白領域が生じないように、前記印刷部分を調整する調整工程と、前記調整工程によって調
整された前記印刷部分を前記印刷領域に印刷する印刷工程と、を含んだことを特徴とする
。
【００２５】
この発明によれば、簡単な操作により、画像の特徴部分を印刷領域内に収めたうえ、印
刷領域内に空白領域が生じない適切な印刷レイアウトによる画像の印刷処理をおこなうこ
とができる。これにより、ラベル印刷時における作業効率性およびラベルの視認性の向上
を図ることができる。
【００２６】
また、この発明にかかる印刷プログラムは、上記に記載の印刷方法をコンピュータに実
行させることを特徴とする。
【００２７】
この発明によれば、印刷プログラムを実行することにより、上述した印刷方法によって
得られる動作がコンピュータによって実現される。これにより、上述した印刷方法の実現
によって得られる各種効果を奏することができる。
【００２８】
また、この発明にかかる記録媒体は、上記に記載の印刷プログラムをコンピュータに読
み取り可能に記録したことを特徴とする。
【００２９】
この発明によれば、記録された印刷プログラムをコンピュータに読み取らせ、実行させ
ることによって、上述した印刷プログラムの実行によって得られる動作がコンピュータに
よって実現される。これにより、上述した印刷プログラムの実行によって得られる各種効
果を奏することができる。
【発明を実施するための最良の形態】
【００３０】
以下に添付図面を参照して、この発明にかかる印刷装置、印刷方法、印刷プログラム、
および記録媒体の好適な実施の形態を詳細に説明する。
【００３１】
（印刷装置１００のハードウェア構成）
図１は、本実施の形態における印刷装置のハードウェア構成の一例を示すブロック図で
ある。図１において、本実施の形態における印刷装置１００は、ＣＰＵ（Ｃｅｎｔｒａｌ
Ｐｒｏｃｅｓｓｉｎｇ  Ｕｎｉｔ）１０１と、ＲＯＭ（Ｒｅａｄ  Ｏｎｌｙ  Ｍｅｍｏ
ｒｙ）１０２と、ＲＡＭ（Ｒａｎｄｏｍ  Ａｃｃｅｓｓ  Ｍｅｍｏｒｙ）１０３と、ＨＤ
Ｄ（Ｈａｒｄ  Ｄｉｓｃ  Ｄｒｉｖｅ）１０４と、ＨＤ（Ｈａｒｄ  Ｄｉｓｃ）１０５と
、スキャナ１０６と、インタフェース（Ｉ／Ｆ）１０７と、通信ケーブル１０８と、ラベ
ルプリンタ１０９と、ＣＤ／ＤＶＤディスク１１０と、ディスクドライブ１１１と、操作
ボタン１１２と、ディスプレイ１１３とを備えて構成されており、各構成部はバス１２０
によってそれぞれ接続されている。
【００３２】
ＣＰＵ１０１は、所定の演算処理を実行し、この印刷装置１００の全体を制御する。Ｒ
ＯＭ１０２は、各種制御プログラムなどを格納する。ＲＯＭ１０２に格納されたデータは
、ユーザの操作によって書き換えることが可能ではあるが、電源ＯＦＦによって消去され
ないものである。ＲＡＭ１０３は、可変的なデータを書き換え自在に記録し、ＣＰＵ１０
１のワークエリアとして機能する。ＲＡＭ１０３は、電源ＯＦＦによって記録されたデー
タが消去される揮発性のメモリであっても良いし、バッテリなどによってバックアップさ
れることによる不揮発性のメモリとしても良い。
【００３３】
ＨＤＤ１０４はＣＰＵ１０１の制御命令に従って、ＨＤ１０５に対するデータの読み取
り／書き込みの制御をおこなう。ＨＤ１０５は、各種制御プログラムや各種データを、た
とえばＣＰＵ１０１に読み取り可能に記録する。ＨＤ１０５は、ＨＤＤ１０４による情報
の書き込みを受け付けるとともに、書き込まれたデータを不揮発に記録する。スキャナ１
０６は、用紙などに印刷されている画像を光学的に読み取り、印刷装置１００の内部に画
像を取り込む。
【００３４】
Ｉ／Ｆ１０７は、通信ケーブル１０８を介してＬＡＮ（Ｌｏｃａｌ  Ａｒｅａ  Ｎｅｔ
ｗｏｒｋ）やＷＡＮ（Ｗｉｄｅ  Ａｒｅａ  Ｎｅｔｗｏｒｋ）などのネットワーク１３０
に接続され、ネットワーク１３０と印刷装置１００とのインタフェースとして機能し、印
刷装置１００に対するデータの入出力を制御する。
【００３５】
ラベルプリンタ１０９は、画像や文書などの印刷データをＣＤ／ＤＶＤディスク１１０
の表面上に印刷する。ラベルプリンタ１０９には、たとえば、レーザプリンタやインクジ
ェットプリンタを採用することができる。ＣＤ／ＤＶＤディスク１１０は、各種制御プロ
グラムや各種データを、たとえばＣＰＵ１０１に読み取り可能に記録する。ＣＤ／ＤＶＤ
ディスク１１０は、ディスクドライブ１１１による情報の書き込みを受け付けるとともに
、書き込まれたデータを不揮発に記録する着脱自在な記録媒体である。
【００３６】
ディスクドライブ１１１はＣＰＵ１０１の制御命令に従って、ＣＤ／ＤＶＤディスク１
１０に対するデータの読み取り／書き込みの制御をおこなう。操作ボタン１１２は、文字
、数字、各種指示などの入力のためのキーを備え、データの入力をおこなう。また、タッ
チパネル式の入力パッドやテンキーなどであっても良い。
【００３７】
ディスプレイ１１３は、たとえばＣＲＴ（Ｃａｔｈｏｄｅ  Ｒａｙ  Ｔｕｂｅ）、ＴＦ
Ｔ（Ｔｈｉｎ  Ｆｉｌｍ  Ｔｒａｎｓｉｓｔｏｒ）液晶ディスプレイ、有機ＥＬ（Ｅｌｅ
ｃｔｒｏｌｕｍｉｎｅｓｃｅｎｃｅ）ディスプレイ、プラズマディスプレイなどのディス
プレイ装置によって構成される。ディスプレイ１１３には、アイコン、カーソル、メニュ
ー、ウィンドウ、あるいは文字や画像などの各種情報が表示される。
【００３８】
（印刷装置１００の機能的構成）
図２は、本実施の形態における印刷装置の機能的構成の一例を示すブロック図である。
なお、以降においては、既に説明した部分と重複する箇所には同一の符号を附して説明を
省略する。図２に示すように、本実施の形態における印刷装置１００は、印刷領域情報取
得部２０１と、選択部２０２と、画像取得部２０３と、判断部２０４と、決定部２０５と
、調整部２０６と、印刷部２０７とを備えて構成されている。
【００３９】
印刷領域情報取得部２０１は、たとえばＣＤ／ＤＶＤディスク１１０の表面上の印刷領
域に関する情報（以下、「印刷領域情報」という）が記録されている各種記録媒体などか
ら、印刷領域情報を取得する。印刷領域情報には、形状の異なる複数の印刷領域に対する
印刷領域の形状、印刷領域のサイズ、画像の特徴部分を位置させるための印刷領域上にお
ける所定の位置に関する情報などが含まれる。
【００４０】
印刷領域情報取得部２０１は、たとえばＲＡＭ１０３、ＨＤ１０５、ＣＤ／ＤＶＤディ
スク１１０などから印刷領域情報を取得する。印刷領域情報取得部２０１は、具体的には
、ＲＯＭ１０２、ＲＡＭ１０３、あるいはＨＤ１０５に格納されたプログラムをＣＰＵ１
０１が実行することによってその機能を実現する。
【００４１】
なお、印刷領域情報の取得方法は上記に限らずどのような形態であってもよく、たとえ
ば有線または無線によって印刷装置１００と接続された各種装置（たとえばデジタルカメ
ラ）や各種記録媒体（たとえばメモリカード）などから通信によって印刷領域情報を取得
するようにしても良い。また、たとえばネットワーク１３０に接続された各種装置からネ
ットワーク１３０を介した通信によって印刷領域情報を取得するようにしても良い。
【００４２】
選択部２０２は、印刷領域情報取得部２０１によって取得された印刷領域情報に基づい
て、形状の異なる複数の印刷領域の中から画像の印刷処理に用いる印刷領域を選択する。
選択部２０２は、具体的には、たとえばディスプレイ１１３の画面上に表示された映像に
対して操作ボタン１１２を用いてユーザがおこなった操作に基づいて、ＲＯＭ１０２、Ｒ
ＡＭ１０３、あるいはＨＤ１０５に格納されたプログラムをＣＰＵ１０１が実行すること
によってその機能を実現する。
【００４３】
画像取得部２０３は、たとえば画像が記録されている各種記録媒体などから、画像を取
得する。画像取得部２０３は、たとえばＲＡＭ１０３、ＨＤ１０５、ＣＤ／ＤＶＤディス
ク１１０などから画像を取得する。画像取得部２０３は、具体的には、ＲＯＭ１０２、Ｒ
ＡＭ１０３、あるいはＨＤ１０５に格納されたプログラムをＣＰＵ１０１が実行すること
によってその機能を実現する。
【００４４】
なお、画像の取得方法は、上記方法に限らずどのような形態であってもよく、たとえば
有線または無線によって印刷装置１００と接続された各種装置（たとえばデジタルカメラ
）や各種記録媒体（たとえばメモリカード）などから通信によって画像を取得するように
しても良い。また、スキャナ１０６によって取り込まれた画像を取得するようにしても良
い。また、たとえばネットワーク１３０に接続された各種装置からネットワーク１３０を
介した通信によって画像を取得するようにしても良い。
【００４５】
判断部２０４は、画像取得部２０３によって取得された画像の特徴部分を判断する。判
断部２０４は、たとえば所定の色や所定の形状によって示されている部分を画像の特徴部
分として判断する。判断部２０４は、具体的には、ＲＯＭ１０２、ＲＡＭ１０３、あるい
はＨＤ１０５に格納されたプログラムをＣＰＵ１０１が実行することによってその機能を
実現する。なお、画像の特徴部分の判断方法は上記に限らず、たとえば周辺の色や周辺の
明るさと異なる部分や、文字が示されている部分などを画像の特徴部分として判断するよ
うにしても良い。
【００４６】
決定部２０５は、判断部２０４によって判断された画像の特徴部分が、選択部２０２に
よって選択された印刷領域内の所定の位置（以下、「画像配置基準位置」という）に位置
するように、画像取得部２０３によって取得された画像の印刷部分を決定する。決定部２
０５は、具体的には、ＲＯＭ１０２、ＲＡＭ１０３、あるいはＨＤ１０５に格納されたプ
ログラムをＣＰＵ１０１が実行することによってその機能を実現する。
【００４７】
調整部２０６は、選択部２０２によって選択された印刷領域に空白領域が生じないよう
に、決定部２０５によって決定された画像の印刷部分を調整する。調整部２０６は、画像
取得部２０３によって取得された画像に対して、印刷部分を上下方向および左右方向に移
動することで、画像の印刷部分を調整する。
【００４８】
また、調整部２０６は、画像取得部２０３によって取得された画像を拡大および縮小す
ることで、画像の印刷部分を調整する。調整部２０６は、具体的には、ＲＯＭ１０２、Ｒ
ＡＭ１０３、あるいはＨＤ１０５に格納されたプログラムをＣＰＵ１０１が実行すること
によってその機能を実現する。
【００４９】
印刷部２０７は、画像取得部２０３によって取得された画像において、決定部２０５に
よって決定され調整部２０６によって調整された印刷部分を、ＣＤ／ＤＶＤディスク１１
０の表面上の選択部２０２によって選択された印刷領域に印刷する。印刷部２０７は、具
体的には、たとえばＲＯＭ１０２、ＲＡＭ１０３、あるいはＨＤ１０５に格納されたプロ
グラムをＣＰＵ１０１が実行することによって制御されたラベルプリンタ１０９によって
その機能を実現する。
【００５０】
（印刷装置１００の印刷処理手順）
図３は、本実施の形態における印刷装置による印刷処理手順の一例を示すフローチャー
トである。
【００５１】
まず、画像取得部２０３によって、画像が記録されている各種記録媒体などから、画像
を取得する（ステップＳ３０１）。つぎに、判断部２０４によって、ステップＳ３０１で
取得された画像の特徴部分を判断する（ステップＳ３０２）。なお、判断部２０４によっ
て判断された画像の特徴部分の一例については図５および図６を用いて後述する。
【００５２】
つぎに、印刷領域情報取得部２０１によって、印刷領域情報が記録されている各種記録
媒体などから、印刷領域情報を取得する（ステップＳ３０３）。つぎに、選択部２０２に
よって、ステップＳ３０３で取得された印刷領域情報に基づいて、形状の異なる複数の印
刷領域の中からステップＳ３０１で取得された画像の印刷処理に用いる印刷領域を選択す
る（ステップＳ３０４）。
【００５３】
ここで選択部２０２は、たとえばディスプレイ１１３の画面上に印刷領域を選択する画
面を表示して、表示された画面に対して操作ボタン１１２を用いてユーザがおこなった操
作に基づき印刷領域を選択する。なお、ディスプレイ１１３の画面上に表示された画像の
印刷処理に用いる印刷領域を選択するための画面の一例については図７を用いて後述する
。
【００５４】
つぎに、決定部２０５によって、ステップＳ３０２で判断された画像の特徴部分が、ス
テップＳ３０４で選択された印刷領域内の画像配置基準位置に位置するように、ステップ
Ｓ３０１で取得された画像の印刷部分を決定する（ステップＳ３０５）。なお、決定部２
０５によって決定された画像の印刷部分の一例については図８を用いて後述する。
【００５５】
つぎに、調整部２０６によって、ステップＳ３０４で選択された印刷領域に空白領域が
生じないように、ステップＳ３０５で決定された印刷部分を調整する（ステップＳ３０６
）。なお、調整部２０６による印刷部分の調整の処理手順の一例については図４を用いて
後述する。また、調整部２０６によって調整された画像の印刷部分の一例については図９
を用いて後述する。
【００５６】
そして、印刷部２０７によって、ステップＳ３０１で取得された画像において、ステッ
プＳ３０５で決定されステップＳ３０６で調整された印刷部分を、ＣＤ／ＤＶＤディスク
１１０の表面上のステップＳ３０４で選択された印刷領域に印刷して（ステップＳ３０７
）、一連の処理を終了する。なお、ＣＤ／ＤＶＤディスク１１０の表面上に印刷された画
像の一例については図１０を用いて後述する。
【００５７】
（調整部２０６による印刷部分の調整の処理手順）
図４は、調整部２０６による印刷部分の調整の処理手順の一例を示すフローチャートで
ある。
【００５８】
まず、画像の特徴部分（特徴領域）のサイズが印刷領域の所定の範囲のサイズより大き
いか否かを判断する（ステップＳ４０１）。すなわち、画像の特徴部分が印刷領域の所定
の範囲よりはみ出しているか否かを判断する。ここで、印刷領域の所定の範囲とは、たと
えば印刷領域内の画像配置基準位置を中心とした印刷領域上の所定の領域範囲などである
。
【００５９】
ステップＳ４０１において、画像の特徴部分のサイズが印刷領域の所定の範囲のサイズ
より大きいと判断した場合（ステップＳ４０１：Ｙｅｓ）は、画像の特徴部分を、印刷領
域内の画像配置基準位置に位置させたまま画像を縮小して（ステップＳ４０２）、ステッ
プＳ４０１へ戻る。なお、ステップＳ４０２の判断処理に用いられる画像の縮小率は、た
とえば所定の値（たとえば１０％）でも良いし、画像の特徴部分のサイズおよび印刷領域
の所定の範囲のサイズから算出するようにしても良い。
【００６０】
そして、ステップＳ４０１において、画像の特徴部分のサイズが印刷領域の所定の範囲
のサイズより小さいと判断される（ステップＳ４０１：Ｎｏ）までステップＳ４０１およ
びステップＳ４０２を繰り返しおこなう。一方、ステップＳ４０１において、画像の特徴
部分のサイズが印刷領域の所定の範囲のサイズより小さいと判断された場合（ステップＳ
４０１：Ｎｏ）は、印刷領域に空白領域が生じるか否かを判断する（ステップＳ４０３）
。
【００６１】
ステップＳ４０３において、印刷領域に空白領域が生じると判断した場合（ステップＳ
４０３：Ｙｅｓ）は、画像の特徴部分を、印刷領域内の画像配置基準位置に位置させたま
ま画像を拡大して（ステップＳ４０４）、ステップＳ４０３へ戻り、ステップＳ４０３に
おいて、印刷領域に空白領域が生じないと判断される（ステップＳ４０３：Ｎｏ）までス
テップＳ４０３およびステップＳ４０４を繰り返しおこなう。なお、ステップＳ４０４の
拡大処理に用いられる画像の拡大率は、たとえば所定の値（たとえば１０％）でも良いし
、画像の特徴部分のサイズおよび印刷領域の所定の範囲のサイズから算出するようにして
も良い。
【００６２】
一方、ステップＳ４０３において、印刷領域に空白領域が生じないと判断した場合（ス
テップＳ４０３：Ｎｏ）は、一連の処理を終了する。
【００６３】
なお、本実施の形態における印刷装置１００によれば、たとえば印刷領域の空白領域が
なくなるように画像を拡大した結果、画像の特徴部分のサイズが印刷領域の所定の範囲の
サイズより大きくなる場合であっても、印刷領域に空白領域がなくなるまで画像を拡大す
る構成としている。しかし、これに限らず、本発明による印刷装置１００は、たとえば印
刷領域の空白領域がなくなるように画像を拡大した結果、画像の特徴部分のサイズが印刷
領域の所定の範囲のサイズより大きくなる場合はこの画像を印刷することはできないと判
断し、画像の印刷処理をおこなわない構成としても良い。また、本発明による印刷装置１
００は、たとえば印刷領域の空白領域がなくなるように画像を拡大した結果、画像解像度
が所定の値を下回る場合はこの画像を印刷することはできないと判断し、画像の印刷処理
をおこなわない構成としても良い。
【００６４】
（画像の特徴部分の一例）
図５および図６は、判断部２０４によって判断された画像の特徴部分の一例を示す説明
図である。図５における画像５００は人物を撮影した画像である。また、図６における画
像６００は風景を撮影し、なおかつタイトル６１１が挿入された画像である。この画像５
００および画像６００は、１５０×１００ピクセルの画像サイズを有する。
【００６５】
図５および図６に示すように、判断部２０４は、一例として画像５００および画像６０
０を１５×１０マス（１マス＝１０×１０ピクセル）のマトリクス状の領域に区分して、
それぞれの領域ごとにこの領域が画像の特徴部分に含まれるか否かの判断をおこなう。
【００６６】
たとえば図５において、判断部２０４は、所定の色によって示されている人物５１１の
頭部５１１Ｈおよび人物５１２の頭部５１２Ｈを含んだ領域５０１を画像５００の特徴部
分として判断する。また判断部２０４は、領域５０１の中心５０１Ａを特徴部分の中心と
して判断する。
【００６７】
また、たとえば図６において、判断部２０４は、文字列として認識されたタイトル６１
１を含んだ領域６０１を特徴部分として判断する。また判断部２０４は、領域６０１の中
心６０１Ａを特徴部分の中心として判断する。
【００６８】
（画像の印刷に用いる印刷領域を選択するための画面の一例）
図７は、ディスプレイ１１３の画面上に表示された画像の印刷に用いる印刷領域を選択
するための画面の一例を示す説明図である。
【００６９】
図７において、画面７００は、ディスプレイ１１３の画面上に表示された画像の印刷に
用いる印刷領域を選択するための画面であり、印刷領域の形状がそれぞれ異なる選択肢７
０１，７０２，７０３，７０４が表示されている。この状態から、たとえばユーザがおこ
なった操作ボタン１１２の操作によって画像の印刷に用いる印刷領域が選択される。この
ように、本実施の形態における印刷装置１００によれば、ディスプレイ１１３の画面上に
印刷領域の選択肢を複数表示し、ユーザに選択させる構成としたことによって、たとえば
ユーザは、形状の異なる複数の印刷領域の中から印刷に用いる印刷領域を容易に選択する
ことができる。
【００７０】
（決定部２０５によって決定された画像の印刷部分の一例）
図８は、決定部２０５によって決定された画像の印刷部分の一例を示す説明図である。
図８において、画像５００は、画像取得部２０３によって取得された画像であり、画像５
００の特徴部分である領域５０１を有する。また、画像５００の特徴部分の中心である中
心５０１Ａを有する。また、印刷領域８００は、選択部２０２によって選択された印刷領
域であり、印刷領域８００の所定の範囲である領域８０１を有する。また、印刷領域８０
０の所定の範囲の中心である中心８０１Ａを有する。
【００７１】
図８に示すように、画像５００上の中心５０１Ａの位置と、印刷領域８００上の中心８
０１Ａの位置とが一致するように、画像５００が印刷領域８００上に配置されている。こ
れにより、決定部２０５は、画像５００における印刷領域８００と重なる部分（領域５０
０Ｐ）を、画像５００の印刷部分として決定する。
【００７２】
図８の状態において、たとえば画像５００上の領域５０１のサイズが印刷領域８００上
の領域８０１のサイズより大きい場合（すなわち、領域５０１が領域８０１内に収まらな
い場合）は、調整部２０６によって、領域５０１が領域８０１内に収まるように画像５０
０が縮小される。
【００７３】
また、図８に示す状態のように、印刷領域８００に空白領域８００Ｂが生じている場合
、調整部２０６によって、この空白領域８００Ｂが生じなくなるまで、または領域５０１
が領域８０１内に収まる最大の大きさとなるまで、画像５００上の中心５０１Ａの位置と
印刷領域８００上の中心８０１Ａの位置とを一致させたまま、画像５００が拡大される。
【００７４】
（調整部２０６によって調整された画像の印刷部分の一例）
図９は、調整部２０６によって調整された画像の印刷部分の一例を示す説明図である。
図９においては、図８に示した画像５００の状態から、調整部２０６により、画像５００
上の中心５０１Ａの位置と印刷領域８００上の中心８０１Ａの位置とを一致させたまま画
像５００が拡大されたことによって、図８に示した印刷領域８００に生じていた空白領域
８００Ｂが解消されている。
【００７５】
（ＣＤ／ＤＶＤディスク１１０の表面上に印刷された画像の一例）
図１０は、ＣＤ／ＤＶＤディスク１１０の表面上に印刷された画像の一例を示す説明図
である。図１０に示すように、ＣＤ／ＤＶＤディスク１１０の表面上の印刷領域８００に
は、図８に示すように決定部２０５によって画像５００の印刷部分が決定され、図９に示
すように調整部２０６によって画像５００の印刷部分が調整されたことによって、空白領
域が生じることなく、画像５００の特徴部分を含む印刷部分が印刷されている。
【００７６】
このように、本実施の形態における印刷装置１００によれば画像ごとに図３および図４
に示すような印刷処理をおこなうことによって、画像の特徴部分を印刷領域内に収めたう
え、印刷領域内に空白領域が生じない適切な印刷レイアウトによる画像の印刷処理をおこ
なうことができる。これにより、ラベル印刷時における作業効率性およびラベルの視認性
の向上を図ることができる。
【００７７】
（ＣＤ／ＤＶＤディスク１１０の表面上に印刷された画像の別の一例）
また、図１１は、ＣＤ／ＤＶＤディスク１１０の表面上に印刷された画像の別の一例を
示す説明図である。図１１に示すように、ＣＤ／ＤＶＤディスク１１０の表面上の印刷領
域１１０１，１１０２，１１０３，１１０４には、空白領域が生じることなく、画像１１
１１，１１１２，１１１３，１１１４の特徴部分を含む印刷部分がそれぞれ印刷されてい
る。
【００７８】
このように、本実施の形態における印刷装置１００によれば、印刷する画像が複数の場
合であっても、画像ごとに図３および図４に示すような印刷処理をおこなうことによって
、画像ごとに画像の特徴部分を印刷領域内に収めたうえ、印刷領域内に空白領域が生じな
い適切な印刷レイアウトによる画像の印刷処理をおこなうことができる。これにより、ラ
ベル印刷時における作業効率性およびラベルの視認性の向上を図ることができる。
【００７９】
以上説明したように、本実施の形態における印刷装置１００によれば、画像の特徴部分
を判断して、画像の特徴部分をユーザによって選択された印刷領域内の画像配置基準位置
に位置させたうえで、画像を拡大および縮小することによって、画像の特徴部分を印刷領
域内に収めたうえ、印刷領域内に空白領域が生じない適切な印刷レイアウトによる画像の
印刷処理をおこなう構成とした。
【００８０】
このため、たとえばユーザは、手間や時間がかかるパーソナル・コンピュータなどの複
雑な操作をおこなうことなく、所望する形状の印刷領域を選択するだけといった印刷装置
１００の簡単な操作によって、効率的かつ確実に、画像の特徴部分をＣＤ／ＤＶＤディス
ク１１０の表面上に印刷することができる。これにより、ラベル印刷時における作業効率
性およびラベルの視認性の向上を図ることができるだけでなく、たとえば記録媒体の表面
上に印刷された画像により、ユーザに対し、どの記録媒体にどのような映像が記録されて
いるかを容易に把握させることが可能となる。
【００８１】
また、画像が複数の場合であっても、画像ごとに、画像の特徴部分を判断して、画像の
特徴部分をユーザによって選択された印刷領域内の画像配置基準位置に位置させたうえで
、画像を拡大および縮小することによって、画像の特徴部分を印刷領域内に収めたうえ、
印刷領域内に空白領域が生じない適切な印刷レイアウトによる画像の印刷処理をおこなう
構成とした。
【００８２】
このため、印刷する画像が複数の場合であっても、たとえばユーザは、手間や時間がか
かるパーソナル・コンピュータなどの複雑な操作をおこなうことなく、所望する形状の印
刷領域を選択するだけといった印刷装置１００の簡単な操作によって、画像ごとに、効率
的かつ確実に、画像の特徴部分をＣＤ／ＤＶＤディスク１１０の表面上に印刷することが
できる。これにより、ラベル印刷時における作業効率性およびラベルの視認性の向上を図
ることができるだけでなく、たとえば記録媒体の表面上に印刷された複数の画像により、
ユーザに対し、どの記録媒体にどのような映像が記録されているかを容易に把握させるこ
とが可能となる。
【００８３】
なお、上述した印刷方法は、ＣＤ／ＤＶＤディスク１１０への印刷に限らず、ラベルプ
リンタ１０９によって印刷可能な記録媒体であれば、別の記録媒体への印刷に用いても良
い。また、円盤状の以外の形状の記録媒体への印刷に利用しても良い。
【００８４】
なお、本実施の形態で説明した印刷方法は、あらかじめ用意されたプログラムをパーソ
ナル・コンピュータやワークステーションなどのコンピュータで実行することにより実現
することができる。このプログラムは、ハードディスク、フレキシブルディスク、ＣＤ−
ＲＯＭ、ＭＯ、ＤＶＤなどのコンピュータで読み取り可能な記録媒体に記録され、コンピ
ュータによって記録媒体から読み出されることによって実行される。またこのプログラム
は、インターネットなどのネットワークを介して配布することが可能な伝送媒体であって
も良い。
【図面の簡単な説明】
【００８５】
【図１】印刷装置のハードウェア構成の一例を示すブロック図。
【図２】印刷装置の機能的構成の一例を示すブロック図。
【図３】印刷処理手順の一例を示すフローチャート。
【図４】調整部による印刷部分の調整の処理手順の一例を示すフローチャート。
【図５】判断部によって判断された画像の特徴部分の一例を示す説明図。
【図６】判断部によって判断された画像の特徴部分の一例を示す説明図。
【図７】画像の印刷に用いる印刷領域を選択するための画面の一例を示す説明図。
【図８】決定部によって決定された画像の印刷部分の一例を示す説明図。
【図９】調整部によって調整された画像の印刷部分の一例を示す説明図。
【図１０】ディスクの表面上に印刷された画像の一例を示す説明図。
【図１１】ディスクの表面上に印刷された画像の別の一例を示す説明図。
【符号の説明】
【００８６】
１００  印刷装置、１０９  ラベルプリンタ、１１０  ＣＤ／ＤＶＤディスク、１１２
操作ボタン、１１３  ディスプレイ、２０１  印刷領域情報取得部、２０２  選択部、
２０３  画像取得部、２０４  判断部、２０５  決定部、２０６  調整部、２０７  印刷
部
【図１】
2007253452.tif 000003
【図２】
2007253452.tif 000004
【図３】
2007253452.tif 000005
【図４】
2007253452.tif 000006
【図５】
2007253452.tif 000007
【図６】
2007253452.tif 000008
【図７】
2007253452.tif 000009
【図８】
2007253452.tif 000010
【図９】
2007253452.tif 000011
【図１０】
2007253452.tif 000012
【図１１】
2007253452.tif 000013